(57)【要約】【課題】植物の栽培を行う場所に適した栽培暦を提示する。【解決手段】受付部１１が、植物に関する植物情報の入力を受け付けるとともに、植物を栽培する場所に関する場所情報の入力を受け付け、特定部１２が、植物毎の栽培暦情報、及び地域毎の気象データを記憶する記憶部を参照して、入力を受け付けた植物情報に対応する栽培暦情報、及び場所情報に対応する地域の気象データを特定し、補正部１３が、気象データに基づいて、栽培暦情報を、前記植物の前記場所における栽培に対応する栽培暦情報に補正し、出力部１４が、補正した栽培暦情報を出力する。【選択図】図１
2019020922.tif 000002
【特許請求の範囲】
【請求項１】
植物に関する植物情報の入力を受け付けるとともに、前記植物を栽培する場所に関する場所情報の入力を受け付け、
植物毎の栽培暦情報、及び地域毎の気象データを記憶する記憶部を参照して、入力を受け付けた前記植物情報に対応する栽培暦情報、及び前記場所情報に対応する地域の気象データを特定し、
前記気象データに基づいて、前記栽培暦情報を、前記植物の前記場所における栽培に対応する栽培暦情報に補正し、
補正した栽培暦情報を出力する、
処理をコンピュータに実行させることを特徴とする栽培支援プログラム。
【請求項２】
前記栽培暦情報の補正は、前記栽培暦情報が前提とする栽培地の気象データと、前記場所情報に対応する地域の気象データとの差分に応じて、前記栽培暦情報の各段階に対応付けられた日付を補正することを含む請求項１に記載の栽培支援プログラム。
【請求項３】
前記栽培暦情報の補正は、前記栽培暦情報の各段階に対応付けられた日付の補正に対応して、各段階に応じて行われる作業のスケジュールを補正することを含む請求項２に記載の栽培支援プログラム。
【請求項４】
前記記憶部から特定した栽培暦情報と、前記補正した栽培暦情報とを比較可能に画像化して表示する請求項１〜請求項３のいずれか１項に記載の栽培支援プログラム。
【請求項５】
植物に関する植物情報の入力を受け付けるとともに、前記植物を栽培する場所に関する場所情報の入力を受け付ける受付部と、
植物毎の栽培暦情報、及び地域毎の気象データを記憶する記憶部を参照して、入力を受け付けた前記植物情報に対応する栽培暦情報、及び前記場所情報に対応する地域の気象データを特定する特定部と、
前記気象データに基づいて、前記栽培暦情報を、前記植物の前記場所における栽培に対応する栽培暦情報に補正する補正部と、
補正した栽培暦情報を出力する出力部と、
を含むことを特徴とする栽培支援装置。
【請求項６】
植物に関する植物情報の入力を受け付けるとともに、前記植物を栽培する場所に関する場所情報の入力を受け付け、
植物毎の栽培暦情報、及び地域毎の気象データを記憶する記憶部を参照して、入力を受け付けた前記植物情報に対応する栽培暦情報、及び前記場所情報に対応する地域の気象データを特定し、
前記気象データに基づいて、前記栽培暦情報を、前記植物の前記場所における栽培に対応する栽培暦情報に補正し、
補正した栽培暦情報を出力する、
処理をコンピュータが実行することを特徴とする栽培支援方法。
【発明の詳細な説明】
【技術分野】
【０００１】
本発明は、栽培支援プログラム、栽培支援装置、及び栽培支援方法に関する。
【背景技術】
【０００２】
植物の栽培時における発芽、開花、収穫可能状態などの植物の発育状況や、植替え、追肥、害虫駆除、収穫などの栽培に必要な作業の目安となる情報として、栽培暦というものがある。植物を栽培する際には、この栽培暦が参考にされる。
【０００３】
また、植物の栽培を支援する技術として、植物の栽培の実情に応じた情報を配信する栽培支援装置が提案されている。この栽培支援装置は、標準的な栽培条件を示す標準栽培データを記憶し、各ユーザから栽培データを取得する。栽培データは、ユーザが栽培する植物の栽培条件を示すデータであり、栽培地域を示す地域情報に加え、水分量、日照量、気温などの情報を含んでいる。栽培支援装置は、特定の栽培地域の複数の栽培データと標準栽培データとを比較し、これらに差がある場合に、予定地栽培データを生成する。そして、栽培支援装置は、栽培データについて評価する場合に、予定地栽培データを用いる。
【先行技術文献】
【特許文献】
【０００４】
【特許文献１】特開２０１３−１６９１４９号公報
【発明の概要】
【発明が解決しようとする課題】
【０００５】
一般的に公開されている栽培歴は、対象の植物の栽培実績のある土地の気象条件を前提とする情報である。そのため、初めての土地でその植物を栽培する場合には、その土地において、その植物がどの時期にどのような状況になるか、また、植物の状況に応じて栽培に必要な作業をいつ行うべきかなどの作業スケジュールは未知である。
【０００６】
また、栽培暦には、おおまかに寒冷地、寒地、温暖地、暖地などの区分分けで栽培暦の読み替えを提示しているものもある。しかし、実際に栽培を行う土地では、土地特有の気象条件（降雨量、日照量、気温 など）が異なり、植物の発育状況に違いが出てくると考えられる。その発育状況の違いに応じて栽培に必要な作業を行うという対応の多くは、植物を栽培している方の経験や勘によるところが多く、初心者や初めて栽培する植物の場合には、栽培に失敗する危険性が高い。
【０００７】
上記の栽培データを補正する従来技術においても、実際に栽培を行う場所に応じた作業スケジュールを提示するわけではないため、上記の問題を解決することができない。
【０００８】
一つの側面として、植物の栽培を行う場所に適した栽培暦を提示することを目的とする。
【課題を解決するための手段】
【０００９】
一つの態様として、植物に関する植物情報の入力を受け付けるとともに、前記植物を栽培する場所に関する場所情報の入力を受け付ける。そして、植物毎の栽培暦情報、及び地域毎の気象データを記憶する記憶部を参照して、入力を受け付けた前記植物情報に対応する栽培暦情報、及び前記場所情報に対応する地域の気象データを特定する。さらに、前記気象データに基づいて、前記栽培暦情報を、前記植物の前記場所における栽培に対応する栽培暦情報に補正し、補正した栽培暦情報を出力する。
【発明の効果】
【００１０】
一つの側面として、植物の栽培を行う場所に適した栽培暦を提示することができる、という効果を有する。
【図面の簡単な説明】
【００１１】
【図１】本実施形態に係る栽培支援システムの概略構成を示すブロック図である。
【図２】栽培暦データベース（ＤＢ）の一例を示す図である。
【図３】気象データＤＢの一例を示す図である。
【図４】気象データのパラメータを説明するための図である。
【図５】補正ルールＤＢの一例を示す図である。
【図６】栽培暦画面の一例を示す図である。
【図７】本実施形態に係る栽培支援装置として機能するコンピュータの概略構成を示すブロック図である。
【図８】本実施形態における栽培支援処理の一例を示すフローチャートである。
【発明を実施するための形態】
【００１２】
以下、図面を参照して開示の技術に係る実施形態の一例を詳細に説明する。
【００１３】
図１に示すように、本実施形態に係る栽培支援システム１００は、栽培支援装置１０と、ユーザ端末３０とを含む。栽培支援装置１０とユーザ端末３０とは、インターネット等のネットワークを介して接続される。なお、図１には、ユーザ端末３０を１台のみ図示しているが、ユーザ端末３０の数は複数であってもよい。
【００１４】
ユーザ端末３０は、例えば、パーソナルコンピュータ、タブレット端末、スマートフォン等の情報処理装置で実現することができる。ユーザ端末３０上にインストールされたアプリケーション、又はウェブブラウザを介してアクセスされるアプリケーション（ウェブサイト）により、栽培支援装置１０が提供するサービスが利用される。
【００１５】
ユーザ端末３０は、情報を入力するためのマウス、キーボード、タッチパネル等の入力部、栽培支援装置１０との間で情報を送受信するための通信部、情報を表示するための液晶ディスプレイ等の表示部を含む。アプリケーションが起動又はアプリケーションにアクセスされたユーザ端末３０上で、入力部を介してユーザ（ユーザ端末３０の操作者）により植物情報及び場所情報が入力される。
【００１６】
植物情報は、例えば、栽培する植物の名前や植物毎に予め付与された識別番号等である。植物情報は、テキストデータで入力されてもよいし、プルダウンメニューやチェックボックスを利用して、植物名の一覧から選択されて入力されてもよい。場所情報は、例えば、植物を栽培する場所の住所、地名、位置情報（緯度、経度、及び標高）等である。場所情報は、テキストデータで入力されてもよいし、実際にその場所においてＧＰＳなどで取得された現在位置情報で入力されてもよいし、地図上から指定された位置に対応する位置情報で入力されてもよい。なお、本実施形態では、いずれの方法で入力されるとしても、場所情報として、緯度、経度、及び標高で示される位置情報を用いる場合について説明する。また、ユーザ端末３０は、入力された植物情報及び場所情報を、通信部により栽培支援装置１０へ送信する。また、ユーザ端末３０は、栽培支援装置１０から通信部により受信した画面情報に基づいて、栽培暦画面（詳細は後述）を表示部に表示する。
【００１７】
栽培支援装置１０は、機能的には、受付部１１と、特定部１２と、補正部１３と、出力部１４とを含む。また、栽培支援装置１０の所定の記憶領域には、栽培暦データベース（ＤＢ）２１と、気象データＤＢ２３と、補正ルールＤＢ２４とが記憶される。
【００１８】
受付部１１は、ユーザ端末３０から送信された植物情報及び場所情報を受け付ける。
【００１９】
特定部１２は、栽培暦ＤＢ２１を参照して、受付部１１で受け付けた植物情報に対応する栽培暦情報を特定する。また、特定部１２は、気象データＤＢ２３を参照して、受付部１１で受け付けた場所情報に対応する地域の気象データを特定する。
【００２０】
栽培暦ＤＢ２１には、植物毎の標準の栽培暦を示す標準栽培暦情報が格納される。栽培暦とは、植物の栽培時における発芽、開花、収穫可能状態などの植物の発育状況や、植替え、追肥、害虫駆除、収穫などの栽培に必要な作業についての目安となる情報である。標準の栽培暦とは、その植物を予め定めた特定の栽培場所（地域）で栽培する場合に、その栽培場所の気象条件に応じた発育状況や必要な作業を定めたものである。また、栽培暦情報とは、栽培暦をデータ化したものである。
【００２１】
図２に、栽培暦ＤＢ２１の一例を示す。栽培暦ＤＢ２１は、植物毎の標準栽培暦情報を示す複数の標準栽培暦テーブルを含む。図２では、植物Ａの標準栽培暦テーブル２２Ａ、植物Ｂの標準栽培暦テーブル２２Ｂ、植物Ｃの標準栽培暦テーブル２２Ｃ、・・・が含まれる例を示している。以下では、標準栽培暦テーブル２２Ａ、２２Ｂ、２２Ｃ、・・・を区別なく説明する場合には、単に「標準栽培暦テーブル２２」と表記する。
【００２２】
標準栽培暦テーブル２２は、植物の発育状況に応じて分類される栽培段階の情報と、作業スケジュールの情報とを含む。栽培段階の情報は、「段階名」で示される段階毎に、その段階の開始日及び終了日で特定される「期間」の情報を含む。作業スケジュールの情報は、「作業名」で示される作業毎に、その作業の開始日及び終了日で特定される、その作業を行う「期間」の情報を含む。本実施形態では、作業スケジュールの「期間」を特定する開始日及び終了日は、各段階の「期間」を基準に定めるものとする。例えば、図２の例では、植物Ａの作業スケジュールに含まれる「播種トレイ準備」は、植物Ａの段階「播種」の開始日の１週間前が開始日となることを表している。
【００２３】
標準栽培暦テーブル２２には、その標準栽培暦テーブル２２が示す標準の栽培暦が、どの地域で栽培されることを前提とした栽培暦かを示す栽培場所の情報（ここでは、緯度、経度、及び標高）が対応付けて格納される。
【００２４】
なお、栽培暦ＤＢ２１に格納される情報は、各植物についてウェブサイトや文献等に公開されている標準の栽培暦の情報を、標準栽培暦テーブル２２のフォーマットに沿って栽培支援装置１０に入力したものである。
【００２５】
また、気象データＤＢ２３には、例えば、気象庁のウェブサイトで公開されている過去の地域別気象データなどから取得される情報が格納される。公開されている地域別気象データが更新された場合には、気象データＤＢ２３に既に格納されている情報との差分を追加で格納する。また、栽培が行われている場所や、栽培の予定地に実際に温度計等のセンサを設置して、そのセンサにより観測されたデータを取得して気象データＤＢ２３に格納してもよい。
【００２６】
図３に、気象データＤＢ２３の一例を示す。図３の例では、地域毎に、その地域における気象データの観測地点の地名などの識別情報を示す「地点」、その地点の位置情報（緯度、経度、及び標高）、並びに、日照時間等の「気象データ」が格納されている。気象データとしては、例えば、図４に示すようなパラメータを格納することができる。なお、図４に示すパラメータは一例であり、少なくとも、後述する補正部１３で用いる補正ルールで必要なパラメータが気象データＤＢ２３に格納されていればよい。また、積算日照時間、積算雨量、積算地温などは、栽培に伴う特定の作業を開始してからの積算値である。この場合、気象庁のウェブサイトなどから取得した気象データを、栽培暦ＤＢ２１の栽培段階や作業スケジュールの情報に基づいて集計した値が、気象データＤＢ２３に格納される。
【００２７】
特定部１２は、具体的には、受付部１１で受け付けた植物情報が示す植物の標準栽培暦テーブル２２を栽培暦ＤＢ２１から特定する。また、特定部１２は、気象データＤＢ２３において、受付部１１で受け付けた場所情報と最も近い位置情報（緯度、経度、及び標高）に対応する地点（以下、「予定地点」という）の気象データを特定する。また、特定部１２は、特定した標準栽培暦テーブル２２に対応付けられている栽培場所と最も近い位置情報（緯度、経度、及び標高）に対応する地点（以下、「標準地点」という）の気象データも特定する。
【００２８】
補正部１３は、特定部１２により特定された気象データに基づいて、特定部１２により特定された標準栽培暦テーブル２２が示す標準栽培暦情報を、受付部１１が受け付けた場所情報が示す地域における栽培に対応する栽培暦情報に補正する。
【００２９】
具体的には、補正部１３は、補正ルールＤＢ２４を参照して、標準地点の気象データと予定地点の気象データとの差分に応じて、標準栽培暦テーブル２２に格納された各「段階」の「期間」を補正する。
【００３０】
図５に、補正ルールＤＢ２４の一例を示す。補正ルールＤＢ２４は、植物毎の補正ルールを示す複数の補正ルールテーブルを含む。図５では、植物Ａの補正ルールテーブル２５Ａ、植物Ｂの補正ルールテーブル２５Ｂ、植物Ｃの補正ルールテーブル２５Ｃ、・・・が含まれる例を示している。以下では、補正ルールテーブル２５Ａ、２５Ｂ、２５Ｃ、・・・を区別なく説明する場合には、単に「補正ルールテーブル２５」と表記する。
【００３１】
補正ルールテーブル２５には、標準栽培暦に影響を与える気象データのパラメータ、及び補正ルールが格納される。図５の例では、例えば、段階「播種」の期間に影響を与える気象データのパラメータとして、段階「播種」の開始日における「最低気温」及び「平均地温」が定められている。そのうち、例えば、「最低気温」については、標準地点の気象データの「最低気温」に対する予定地点の気象データの「最低気温」の差＋０．５℃毎に、段階「播種」の開始日を０．５日早めることが、補正ルールとして定められている。
【００３２】
補正部１３は、より具体的には、受付部１１で受け付けられた植物情報が示す植物の補正ルールテーブル２５で定められた気象データのパラメータについて、標準地点の気象データに対する予定地点の気象データの差分を算出する。そして、補正部１３は、補正ルールテーブル２５において、該当の気象データに対応して定められた補正ルールに、算出した差分を適用して、各段階の補正後の開始日又は終了日を導出する。補正部１３は、導出した各段階の補正後の開始日又は終了日にしたがって、標準栽培暦テーブル２２を補正した予定地栽培暦テーブルを作成する。
【００３３】
なお、本実施形態では、標準栽培暦テーブル２２において、「作業スケジュール」の期間を特定する開始日及び終了日を、各段階の開始日又は終了日を基準に定めているため、各段階の期間が補正されることで、自動的に作業スケジュールの期間も補正される。
【００３４】
出力部１４は、予定地栽培暦テーブルが示す予定地栽培暦と標準栽培暦テーブル２２が示す標準栽培暦とを比較可能に画像化して表示するための画面情報を生成する。例えば、出力部１４は、図６に示すような、標準栽培暦及び予定地栽培暦の各々の各段階の期間と各作業の期間とを、同一の時間軸に対応付けて図示した栽培暦画面３２を示す画面情報を生成する。出力部１４は、生成した画面情報をユーザ端末３０へ送信する。これにより、ユーザ端末３０の表示部に、栽培暦画面３２が表示される。
【００３５】
栽培支援装置１０は、例えば図７に示すコンピュータ４０で実現することができる。コンピュータ４０は、Central Processing Unit（ＣＰＵ）４１と、一時記憶領域としてのメモリ４２と、不揮発性の記憶部４３とを備える。また、コンピュータ４０は、入力装置、表示装置等の入出力装置４４と、記憶媒体４９に対するデータの読み込み及び書き込みを制御するRead/Write（Ｒ／Ｗ）部４５と、インターネット等のネットワークに接続される通信Interface（Ｉ／Ｆ）４６とを備える。ＣＰＵ４１、メモリ４２、記憶部４３、入出力装置４４、Ｒ／Ｗ部４５、及び通信Ｉ／Ｆ４６は、バス４７を介して互いに接続される。
【００３６】
記憶部４３は、Hard Disk Drive（ＨＤＤ）、Solid State Drive（ＳＳＤ）、フラッシュメモリ等によって実現できる。記憶媒体としての記憶部４３には、コンピュータ４０を、栽培支援装置１０として機能させるための栽培支援プログラム５０が記憶される。栽培支援プログラム５０は、受付プロセス５１と、特定プロセス５２と、補正プロセス５３と、出力プロセス５４とを有する。また、記憶部４３は、栽培暦ＤＢ２１、気象データＤＢ２３、及び補正ルールＤＢ２４の各々を構成する情報が記憶される情報記憶領域６０を有する。
【００３７】
ＣＰＵ４１は、栽培支援プログラム５０を記憶部４３から読み出してメモリ４２に展開し、栽培支援プログラム５０が有するプロセスを順次実行する。ＣＰＵ４１は、受付プロセス５１を実行することで、図１に示す受付部１１として動作する。また、ＣＰＵ４１は、特定プロセス５２を実行することで、図１に示す特定部１２として動作する。また、ＣＰＵ４１は、補正プロセス５３を実行することで、図１に示す補正部１３として動作する。また、ＣＰＵ４１は、出力プロセス５４を実行することで、図１に示す出力部１４として動作する。また、ＣＰＵ４１は、情報記憶領域６０から情報を読み出して、メモリ４２に栽培暦ＤＢ２１、気象データＤＢ２３、及び補正ルールＤＢ２４の各々を展開する。これにより、栽培支援プログラム５０を実行したコンピュータ４０が、栽培支援装置１０として機能することになる。なお、プログラムを実行するＣＰＵ４１はハードウェアである。
【００３８】
次に、本実施形態に係る栽培支援システム１００の作用について説明する。
【００３９】
アプリケーションが起動又はアプリケーションにアクセスされたユーザ端末３０上で、ユーザ端末３０の入力部を介して植物情報及び場所情報が入力され、通信部により植物情報及び場所情報が栽培支援装置１０へ送信される。そして、植物情報及び場所情報を受信した栽培支援装置１０において、図８に示す栽培支援処理が実行される。なお、栽培支援装置１０により実行される栽培支援処理は、開示の技術の栽培支援方法の一例である。
【００４０】
ステップＳ１２で、受付部１１が、ユーザ端末３０から送信された植物情報及び場所情報を受け付ける。
【００４１】
次に、ステップＳ１４で、特定部１２が、受付部１１で受け付けた植物情報が示す植物の標準栽培暦テーブル２２を栽培暦ＤＢ２１から特定する。例えば、植物情報が示す植物が植物Ａの場合、特定部１２は、図２に示す栽培暦ＤＢ２１から標準栽培暦テーブル２２Ａを特定する。
【００４２】
次に、ステップＳ１６で、特定部１２が、気象データＤＢ２３において、受付部１１で受け付けた場所情報と最も近い位置情報（緯度、経度、及び標高）に対応する地点の気象データを、予定地点の気象データとして特定する。また、特定部１２は、特定した標準栽培暦テーブル２２に対応付けられている栽培場所と最も近い位置情報（緯度、経度、及び標高）に対応する地点の気象データを、標準地点の気象データとして特定する。
【００４３】
次に、ステップＳ１８で、補正部１３が、図５に示すような補正ルールＤＢ２４を参照して、標準地点の気象データと予定地点の気象データとの差分に応じて、標準栽培暦テーブル２２に格納された各「段階」の「期間」を補正する。例えば、標準栽培暦テーブル２２Ａに格納された段階「播種」の開始日における標準地点の気象データの「最低気温」が５℃、予定地点の気象データの「最低気温」が１０℃であるとする。この場合、補正部１３は、図５に示す補正ルールテーブル２５Ａにしたがって、段階「播種」の開始日を、標準栽培暦テーブル２２Ａで定められている開始日より５日早める。補正部１３は、補正ルールテーブル２５に定められた全ての補正ルールを適用して、標準栽培暦テーブル２２を補正し、予定地栽培暦テーブルを作成する。
【００４４】
次に、ステップＳ２０で、出力部１４が、例えば、図６に示すような、標準栽培暦及び予定地栽培暦の各々の各段階の期間と各作業の期間とを、同一の時間軸に対応付けて図示した栽培暦画面３２を示す画面情報を生成する。そして、出力部１４は、生成した画面情報をユーザ端末３０へ送信し、栽培支援処理は終了する。
【００４５】
栽培支援装置１０から送信された画面情報を受信したユーザ端末３０では、表示部に画面情報に基づく栽培暦画面３２が表示される。
【００４６】
以上説明したように、本実施形態に係る栽培支援装置１０は、栽培する植物の標準の栽培暦を、栽培予定地の気象データに基づいて補正して出力する。これにより、本実施形態に係る栽培支援装置１０によれば、植物の栽培を行う場所に適した栽培暦を提示することができる。
【００４７】
なお、上記実施形態では、栽培暦ＤＢ２１の各標準栽培暦テーブル２２に栽培場所の情報を対応付けておき、気象データＤＢ２３から栽培場所に対応する地点（標準地点）の気象データを特定する場合について説明したが、これに限定されない。標準栽培暦テーブル２２に標準地点の気象データを直接対応付けておいてもよい。
【００４８】
また、上記実施形態では、各標準栽培暦テーブル２２に格納された作業スケジュールにおいて、各作業の期間を特定する開始日及び終了日を、各段階の開始日又は終了日を基準に定める場合について説明したがこれに限定されない。各段階の開始日又は終了日とは独立して定めてもよい。この場合、各作業をいずれかの段階に対応付けておき、各作業の開始日及び終了日を、その作業に対応付けられた段階の開始日及び終了日が補正された日数と同じ日数分補正するようにするとよい。また、各段階の補正ルールとは別に、作業スケジュールについての補正ルールを定めておいてもよい。また、この場合、各作業の開始日及び終了日を補正する補正ルールだけでなく、その作業自体を削除したり、回数を増やしたりする補正ルールを定めてもよい。
【００４９】
また、上記実施形態では、栽培支援プログラム５０が記憶部４３に予め記憶（インストール）されている態様を説明したが、これに限定されない。開示の技術に係るプログラムは、ＣＤ−ＲＯＭ、ＤＶＤ−ＲＯＭ、ＵＳＢメモリ等の記憶媒体に記憶された形態で提供することも可能である。
【００５０】
以上の実施形態に関し、更に以下の付記を開示する。
【００５１】
（付記１）
植物に関する植物情報の入力を受け付けるとともに、前記植物を栽培する場所に関する場所情報の入力を受け付け、
植物毎の栽培暦情報、及び地域毎の気象データを記憶する記憶部を参照して、入力を受け付けた前記植物情報に対応する栽培暦情報、及び前記場所情報に対応する地域の気象データを特定し、
前記気象データに基づいて、前記栽培暦情報を、前記植物の前記場所における栽培に対応する栽培暦情報に補正し、
補正した栽培暦情報を出力する、
処理をコンピュータに実行させることを特徴とする栽培支援プログラム。
【００５２】
（付記２）
前記栽培暦情報の補正は、前記栽培暦情報が前提とする栽培地の気象データと、前記場所情報に対応する地域の気象データとの差分に応じて、前記栽培暦情報の各段階に対応付けられた日付を補正することを含む付記１に記載の栽培支援プログラム。
【００５３】
（付記３）
前記栽培暦情報の補正は、前記栽培暦情報の各段階に対応付けられた日付の補正に対応して、各段階に応じて行われる作業のスケジュールを補正することを含む付記２に記載の栽培支援プログラム。
【００５４】
（付記４）
前記記憶部から特定した栽培暦情報と、前記補正した栽培暦情報とを比較可能に画像化して表示する付記１〜付記３のいずれか１項に記載の栽培支援プログラム。
【００５５】
（付記５）
植物に関する植物情報の入力を受け付けるとともに、前記植物を栽培する場所に関する場所情報の入力を受け付ける受付部と、
植物毎の栽培暦情報、及び地域毎の気象データを記憶する記憶部を参照して、入力を受け付けた前記植物情報に対応する栽培暦情報、及び前記場所情報に対応する地域の気象データを特定する特定部と、
前記気象データに基づいて、前記栽培暦情報を、前記植物の前記場所における栽培に対応する栽培暦情報に補正する補正部と、
補正した栽培暦情報を出力する出力部と、
を含むことを特徴とする栽培支援装置。
【００５６】
（付記６）
前記補正部は、前記栽培暦情報が前提とする栽培地の気象データと、前記場所情報に対応する地域の気象データとの差分に応じて、前記栽培暦情報の各段階に対応付けられた日付を補正する付記５に記載の栽培支援装置。
【００５７】
（付記７）
前記栽培暦情報の補正は、前記栽培暦情報の各段階に対応付けられた日付の補正に対応して、各段階に応じて行われる作業のスケジュールを補正することを含む付記６に記載の栽培支援装置。
【００５８】
（付記８）
前記出力部は、前記記憶部から特定した栽培暦情報と、前記補正した栽培暦情報とを比較可能に画像化して表示する付記５〜付記７のいずれか１項に記載の栽培支援装置。
【００５９】
（付記９）
植物に関する植物情報の入力を受け付けるとともに、前記植物を栽培する場所に関する場所情報の入力を受け付け、
植物毎の栽培暦情報、及び地域毎の気象データを記憶する記憶部を参照して、入力を受け付けた前記植物情報に対応する栽培暦情報、及び前記場所情報に対応する地域の気象データを特定し、
前記気象データに基づいて、前記栽培暦情報を、前記植物の前記場所における栽培に対応する栽培暦情報に補正し、
補正した栽培暦情報を出力する、
処理をコンピュータが実行することを特徴とする栽培支援方法。
【００６０】
（付記１０）
前記栽培暦情報の補正は、前記栽培暦情報が前提とする栽培地の気象データと、前記場所情報に対応する地域の気象データとの差分に応じて、前記栽培暦情報の各段階に対応付けられた日付を補正することを含む付記９に記載の栽培支援方法。
【００６１】
（付記１１）
前記栽培暦情報の補正は、前記栽培暦情報の各段階に対応付けられた日付の補正に対応して、各段階に応じて行われる作業のスケジュールを補正することを含む付記１０に記載の栽培支援方法。
【００６２】
（付記１２）
前記記憶部から特定した栽培暦情報と、前記補正した栽培暦情報とを比較可能に画像化して表示する付記９〜付記１１のいずれか１項に記載の栽培支援方法。
【００６３】
（付記１３）
植物に関する植物情報の入力を受け付けるとともに、前記植物を栽培する場所に関する場所情報の入力を受け付け、
植物毎の栽培暦情報、及び地域毎の気象データを記憶する記憶部を参照して、入力を受け付けた前記植物情報に対応する栽培暦情報、及び前記場所情報に対応する地域の気象データを特定し、
前記気象データに基づいて、前記栽培暦情報を、前記植物の前記場所における栽培に対応する栽培暦情報に補正し、
補正した栽培暦情報を出力する、
処理をコンピュータに実行させることを特徴とする栽培支援プログラムを記憶した記憶媒体。
【符号の説明】
【００６４】
１０   栽培支援装置
１１   受付部
１２   特定部
１３   補正部
１４   出力部
２１   栽培暦データベース（ＤＢ）
２２   標準栽培暦テーブル
２３   気象データＤＢ
２４   補正ルールＤＢ
２５   補正ルールテーブル
３０   ユーザ端末
３２   栽培暦画面
４０   コンピュータ
４１   ＣＰＵ
４２   メモリ
４３   記憶部
４９   記憶媒体
５０   栽培支援プログラム
１００ 栽培支援システム
【図１】
2019020922.tif 000003
【図２】
2019020922.tif 000004
【図３】
2019020922.tif 000005
【図４】
2019020922.tif 000006
【図５】
2019020922.tif 000007
【図６】
2019020922.tif 000008
【図７】
2019020922.tif 000009
【図８】
2019020922.tif 000010